(57)【要約】  【課題】映像の持つ情報をできるだけ欠落させず、かつ複雑な処理を行うことなく、画像表示装置の画面の焼き付きを防止し得るデジタル放送受信装置と、これを利用した画像表示装置とを提供する。  【解決手段】デジタル放送からの受信データに基づき、動画、グラフィックス、および静止画の少なくとも一つを含む表示画像のデータを生成して出力するデジタル放送受信装置１００は、動画、グラフィックス、および静止画に対してフィルタ処理をそれぞれ行うフィルタ部１０４，１０６，１０８と、表示画像がグラフィックスまたは静止画を含むか否かを検出するフィルタ切替制御部１１２とを備え、表示画像がグラフィックスまたは静止画を含むことを検出した場合に、フィルタ部１０６，１０８によるフィルタ処理の内容を変化させる。【選択図】図１
2008160553.tif 000002
【特許請求の範囲】
【請求項１】
デジタル放送からの受信データに基づき、動画、グラフィックス、および静止画の少なくとも一つを含む表示画像のデータを生成して出力するデジタル放送受信装置であって、
前記動画、グラフィックス、および静止画の少なくとも一つに対して、拡大、縮小、および等倍処理の少なくともいずれかである調整処理を行う画像調整処理部と、
前記表示画像がグラフィックスまたは静止画を含むか否かを検出する検出部と、
前記検出部により前記表示画像がグラフィックスまたは静止画を含むことを検出した場合に、前記画像調整処理部による前記調整処理の内容を変化させる処理切替部とを備えたことを特徴とするデジタル放送受信装置。
【請求項２】
前記画像調整処理部が、前記動画、グラフィックス、および静止画の少なくとも一つに対して、水平方向に、拡大、縮小、および等倍処理のいずれかを行う水平フィルタ部と、垂直方向に、拡大、縮小、および等倍処理のいずれかを行う垂直フィルタ部とを備え、
前記検出部により、表示画像がグラフィックスまたは静止画を含むことを検出した場合に、前記処理切替部が、前記水平フィルタ部および垂直フィルタ部の少なくとも一方のフィルタ係数、またはフィルタのタップ数を変化させることで、画素の重心位置を変更する、請求項１記載のデジタル放送受信装置。
【請求項３】
通常放送と、グラフィックスまたは静止画を含む放送との切り替えを制御する表示制御部をさらに備え、
前記検出部は、前記表示制御部による切り替え情報を用いて、表示画像がグラフィックスまたは静止画を含むか否かを検出する、請求項１または２に記載のデジタル放送受信装置。
【請求項４】
前記画像調整処理部が、
動画に対して、拡大、縮小、および等倍処理の少なくともいずれかである調整処理を行う動画調整処理部と、
グラフィックスに対して、拡大、縮小、および等倍処理の少なくともいずれかである調整処理を行うグラフィックス調整処理部と、
静止画に対して、拡大、縮小、および等倍処理の少なくともいずれかである調整処理を行う静止画調整処理部とを含み、
前記処理切替部は、前記検出部により前記表示画像がグラフィックスまたは静止画を含むことを検出した場合に、前記画像調整処理部のグラフィックス調整処理部または静止画調整処理部による前記調整処理の内容を変化させる、請求項１〜３のいずれか一項に記載のデジタル放送受信装置。
【請求項５】
請求項１〜４のいずれか一項に記載のデジタル放送受信装置と、前記デジタル放送受信装置から出力される画像を表示するディスプレイとを備えたことを特徴とする画像表示装置。
【発明の詳細な説明】
【技術分野】
【０００１】
本発明は、デジタル放送を受信し、表示用画像を生成して表示デバイスへ出力するデジタル放送受信装置であって、特に、表示デバイスの画面の焼き付きを防止し得るデジタル放送受信装置と、これを利用した画像表示装置とに関する。
【背景技術】
【０００２】
従来、プラズマディスプレイのように蛍光体を発光させて表示を行う表示デバイスは、「焼き付き」が発生するという問題があった。焼き付きとは、長時間同じ画像を表示し続けた場合、蛍光体の劣化により、画面上に痕が残ってしまう現象である。焼き付きの発生条件は、表示される画像の内容によって異なるが、輝度が高くコントラストの強い画像や文字を長時間表示し続けると発生しやすい。一般的に、同一画像の表示時間が累積して数百時間以上になると、焼き付きが発生する可能性がある。
【０００３】
焼き付きを防止する方法としては、長時間にわたって同一画素を連続して表示すること、言い換えると、静止画を長時間表示すること、を避けることが有効である。この観点から、画面サイズに応じて画素の間引き処理を行って焼き付きの発生面積を削減し、かつ表示密度の減少により焼き付きを防ぐ方法（特許文献１参照）や、画面の特定の領域に対して縮小を行い、この縮小により映像の非表示部分が発生しないように他の領域を拡大する処理を行うことで焼き付きを防止する方法（特許文献２参照）などが知られている。
【特許文献１】特開平８−３１４４０３号公報
【特許文献２】特開２００６−４８０６８号公報
【発明の開示】
【発明が解決しようとする課題】
【０００４】
しかしながら、上記従来の焼き付き防止方法では、焼き付きを防止できる反面、他の不都合が生じるという問題があった。
【０００５】
例えば、上記特許文献１に記載された焼き付き防止方法では、画面のサイズを考慮して間引き率を決定しないと、映像の持つ情報が認識しづらくなる。また、インタレース表示の場合は、単純間引きでは映像信号の折り返しが発生するという問題があった。上記特許文献２に記載された焼き付き防止方法では、領域の縮小用のフィルタ回路と、領域の拡大用のフィルタ回路との２種類が必要になる。また、映像の拡大および縮小に伴い、元の映像情報が損なわれるという課題があった。
【０００６】
本発明は、上記の課題を鑑み、映像の持つ情報をできるだけ欠落させず、かつ複雑な処理を行うことなく、画像表示装置の画面の焼き付きを防止し得るデジタル放送受信装置と、これを利用した画像表示装置とを提供することを目的とする。
【課題を解決するための手段】
【０００７】
上記の目的を達成するために、本発明にかかるデジタル放送受信装置は、デジタル放送からの受信データに基づき、動画、グラフィックス、および静止画の少なくとも一つを含む表示画像のデータを生成して出力するデジタル放送受信装置であって、前記動画、グラフィックス、および静止画の少なくとも一つに対して、拡大、縮小、および等倍処理の少なくともいずれかである調整処理を行う画像調整処理部と、前記表示画像がグラフィックスまたは静止画を含むか否かを検出する検出部と、前記検出部により前記表示画像がグラフィックスまたは静止画を含むことを検出した場合に、前記画像調整処理部による前記調整処理の内容を変化させる処理切替部とを備えたことを特徴とする。
【０００８】
また、本発明にかかる画像表示装置は、本発明にかかるデジタル放送受信装置と、前記デジタル放送受信装置から出力される画像を表示するディスプレイとを備えたことを特徴とする。
【発明の効果】
【０００９】
本発明によれば、検出部により前記表示画像がグラフィックスまたは静止画を含むことを検出した場合に、処理切替部が、画像調整処理部による調整処理の内容を変化させることにより、表示位置や表示サイズを変更することなく画面の焼き付きを防止することができる。この結果、映像の持つ情報をできるだけ欠落させず、かつ複雑な処理を行うことなく、画像表示装置の画面の焼き付きを防止し得るデジタル放送受信装置と、これを用いた画像表示装置とを提供できる。
【発明を実施するための最良の形態】
【００１０】
上記の目的を達成するために、本発明にかかるデジタル放送受信装置は、デジタル放送からの受信データに基づき、動画、グラフィックス、および静止画の少なくとも一つを含む表示画像のデータを生成して出力するデジタル放送受信装置であって、前記動画、グラフィックス、および静止画の少なくとも一つに対して、拡大、縮小、および等倍処理の少なくともいずれかである調整処理を行う画像調整処理部と、前記表示画像がグラフィックスまたは静止画を含むか否かを検出する検出部と、前記検出部により前記表示画像がグラフィックスまたは静止画を含むことを検出した場合に、前記画像調整処理部による前記調整処理の内容を変化させる処理切替部とを備えたことを特徴とする。
【００１１】
なお、「グラフィックス」とは、例えばＯＳＤ画像のように、文字や図形等を含む画像を意味する。上記の構成にかかるデジタル放送受信装置によれば、検出部により前記表示画像がグラフィックスまたは静止画を含むことを検出した場合に、処理切替部が、画像調整処理部による調整処理の内容を変化させることにより、表示位置や表示サイズを変更することなく画面の焼き付きを防止することができる。この結果、映像の持つ情報をできるだけ欠落させず、かつ複雑な処理を行うことなく、画像表示装置の画面の焼き付きを防止し得るデジタル放送受信装置を提供できる。
【００１２】
本発明にかかるデジタル放送受信装置において、前記画像調整処理部が、前記動画、グラフィックス、および静止画の少なくとも一つに対して、水平方向に、拡大、縮小、および等倍処理のいずれかを行う水平フィルタ部と、垂直方向に、拡大、縮小、および等倍処理のいずれかを行う垂直フィルタ部とを備え、前記検出部により、表示画像がグラフィックスまたは静止画を含むことを検出した場合に、前記処理切替部が、前記水平フィルタ部および垂直フィルタ部の少なくとも一方のフィルタ係数、またはフィルタのタップ数を変化させることで、画素の重心位置を変更することが好ましい。
【００１３】
上記の構成にかかるデジタル放送受信装置によれば、表示位置や表示サイズを変更することなく画面の焼き付きを防止することができる。この結果、映像の持つ情報をできるだけ欠落させず、かつ複雑な処理を行うことなく、画像表示装置の画面の焼き付きを防止し得るデジタル放送受信装置を提供できる。
【００１４】
本発明にかかるデジタル放送受信装置は、通常放送と、グラフィックスまたは静止画を含む放送との表示の切り替えを制御する表示制御部をさらに備え、前記検出部は、前記表示制御部による表示の切り替え情報を用いて、表示画像がグラフィックスまたは静止画を含むか否かを検出することが好ましい。
【００１５】
この構成によれば、通常のテレビジョン放送と、ＯＳＤ画像や静止画などを含むデータ放送との表示の切り替えを表示制御部が制御しているので、表示制御部による表示の切り替え情報を用いることにより、従来のように表示映像から静止画を検出する複雑な処理を行わなくても、画面の焼き付きを防止することができる。
【００１６】
本発明にかかるデジタル放送受信装置において、前記画像調整処理部が、動画に対して、拡大、縮小、および等倍処理の少なくともいずれかである調整処理を行う動画調整処理部と、グラフィックスに対して、拡大、縮小、および等倍処理の少なくともいずれかである調整処理を行うグラフィックス調整処理部と、静止画に対して、拡大、縮小、および等倍処理の少なくともいずれかである調整処理を行う静止画調整処理部とを含み、前記処理切替部は、前記検出部により前記表示画像がグラフィックスまたは静止画を含むことを検出した場合に、前記画像調整処理部のグラフィックス調整処理部または静止画調整処理部による前記調整処理の内容を変化させることが好ましい。
【００１７】
この構成によれば、動画、グラフィックス、静止画等の複数のプレーンのうち、動画以外のプレーンのみに焼き付き防止を行うことが可能であるため、動画への影響がないという利点がある。
【００１８】
また、本発明にかかる画像表示装置は、上記のいずれかの構成にかかるデジタル放送受信装置と、前記デジタル放送受信装置から出力される画像を表示するディスプレイとを備えたことを特徴とし、例えばプラズマディスプレイ装置等として実施できる。
【００１９】
以下、図面を参照し、本発明の一実施形態について具体的に説明する。
【００２０】
図１は、本発明の一実施形態にかかるデジタル放送受信装置の概略構成例を示すブロック図である。図２は、図１に示したＯＳＤフィルタ部の内部構成を詳細に示したブロック図である。図３は、図１に示した静止画フィルタ部の内部構成を詳細に示したブロック図である。
【００２１】
図１に示すように、本実施形態にかかるデジタル放送受信装置１００は、アンテナ１０１、チューナ１０２、ＡＶデコーダ１０３、動画フィルタ部１０４、ＯＳＤ処理部１０５、ＯＳＤフィルタ部１０６、静止画処理部１０７、静止画フィルタ部１０８、映像合成部１０９、映像フォーマット変換部１１０、ホストＣＰＵ１１１、およびフレームメモリ１１３を備える。ホストＣＰＵ１１１は、フィルタ切替制御部１１２とタイマ１１４とを備えている。
【００２２】
アンテナ１０１は、デジタル放送の電波を受信する。チューナ１０２は、アンテナ１０１で受信されたＩＦ信号を受けて復調処理等を行い、得られたトランスポートストリームＴＳを、ＡＶデコーダ１０３へ出力する。
【００２３】
ＡＶデコーダ１０３は、トランスポートストリームＴＳをデコードして、デジタル映像信号ＶＤＩＮを動画フィルタ部１０４へ出力する。フレームメモリ１１３は、動画、ＯＳＤ、および静止画のデータを、フィールド単位またはフレーム単位で格納する。
【００２４】
フレームメモリ１１３において、動画データの格納領域、ＯＳＤデータの格納領域、静止画データの格納領域が、それぞれ別々に割り当てられている。動画データは、入力されたトランスポートストリームに対してＡＶデコーダ１０３が１フィールド分のデコード処理を完了する毎に、フレームメモリ１１３へ書き込まれる。例えばＭＰＥＧ規格の場合、デコード順序と表示順序とは異なるため、複数のフレームをフレームメモリ１１３に保持する必要がある。また、静止画およびＯＳＤに関しては、例えば、ユーザがデータ放送をリモートコントローラ等の操作によって選択した際に、ホストＣＰＵ１１１が、この操作の命令等を受け取り、ＢＭＬ（Broadcast Markup Language）ファイルを解釈して静止画データおよびＯＳＤデータを構成し、フレームメモリへ書き込む。なお、ＢＭＬファイルは、デジタル放送受信装置１００内部の作業用メモリ等（図示せず）に格納されている。
【００２５】
動画フィルタ部１０４は、ＡＶデコーダ１０３から出力されたデジタル映像信号ＶＤＩＮを、データ放送規格により定義された所定の大きさの映像に拡大あるいは縮小する。
【００２６】
ＯＳＤ処理部１０５は、フレームメモリ１１３に格納されたデータに基づいて、データ放送規格により定義された所定の文字図形等を生成する。ＯＳＤフィルタ部１０６は、ＯＳＤ処理部１０５の出力を、データ放送規格により定義された所定の大きさの文字図形に拡大あるいは縮小する。静止画処理部１０７は、フレームメモリ１１３に格納されたデータに基づいて、データ放送規格で規定された映像フォーマットの解像度に合わせた静止画像ＳＴＩＬＬを生成し、出力する。例えば、ＢＳ/ＣＳデジタル放送は、１０８０ｉ、７２０ｐ、４８０ｐ、４８０ｉの４種類の映像フォーマットで放送されている。１０８０ｉは、解像度が１０８０×１９２０であり、飛び越し走査を行う。７２０ｐは、解像度が７２０×１２８０であり、順次走査を行う。４８０ｐは、解像度が４８０×７２０であり、飛び越し走査を行う。４８０ｉは、解像度が４８０×７２０であり、順次走査を行う。ＯＳＤおよび静止画像も、これらの解像度に合わせた画像として生成して映像へ合成する必要があるため、ＯＳＤフィルタ部１０６および静止画処理部１０７が、映像フォーマットの規格に合わせてＯＳＤおよび静止画の大きさを調整する。
【００２７】
静止画フィルタ部１０８は、例えば、ＭＰＥＧで規格された４：２：０フォーマット形式の静止画像を、４：２：２フォーマット形式へ変換し、出力する。
【００２８】
映像合成部１０９は、動画フィルタ部１０４から出力された映像と、ＯＳＤフィルタ部１０６から出力されたＯＳＤ画像とを、ＯＳＤ画像データに含まれるα値（合成値）等に従ってα合成を行い、その後、静止画フィルタ部１０８から出力された静止画像との合成を行い、合成映像ＢＬＥＮＤとして出力する。
【００２９】
映像フォーマット変換部１１０は、映像合成部１０９から出力された合成映像ＢＬＥＮＤを、主映像出力に接続される表示装置の仕様に応じて、所定の解像度のデジタル映像信号に変換する。
【００３０】
ホストＣＰＵ１１１は、ユーザからの入力操作等に従い、通常放送とデータ放送との切り替え等の制御を行う。フィルタ切替制御部１１２は、ＯＳＤフィルタ部１０６および静止画フィルタ部１０８で使用されるフィルタを切替える処理を行う。
【００３１】
続いて、ＯＳＤフィルタ部１０６の構成および動作を、図２に従って説明する。
【００３２】
ＯＳＤフィルタ部１０６は、図２に示すように、水平フィルタ部２０１と、垂直フィルタ部２０２と、水平フィルタ係数生成部２０３と、垂直フィルタ係数生成部２０４とを備えている。
【００３３】
なお、以下の説明では、ＯＳＤデータに対するフィルタ処理を、水平方向、垂直方向の順に行うが、ＯＳＤデータに対するフィルタ処理の順番はこの逆であっても構わない。
【００３４】
水平フィルタ部２０１は、ＯＳＤデータの画素数を映像データの画素数へ合わせるために、水平フィルタ係数生成部２０３で生成される水平フィルタ係数ＨＣＯＥＦを用いて、水平方向のフィルタ処理を行う。水平フィルタ部２０１でフィルタ処理されたＯＳＤデータＯＳＤＨは、垂直フィルタ部２０２へ送られる。
【００３５】
垂直フィルタ部２０２は、ＯＳＤデータの画素数を映像データの画素数へ合わせるために、水平フィルタ部２０１の出力を受けて、垂直フィルタ係数生成部２０４で生成される垂直フィルタ係数ＶＣＯＥＦを用いて、垂直方向のフィルタ処理を行う。
【００３６】
水平フィルタ係数生成部２０３および垂直フィルタ係数生成部２０４のそれぞれは、表示する映像のフォーマットと、フレームメモリ１１３上に格納されているＯＳＤデータの解像度とに基づいて、水平フィルタ係数ＨＣＯＥＦと垂直フィルタ係数ＶＣＯＥＦとを決定する。
【００３７】
ＯＳＤデータの解像度は、ＢＳ／ＣＳデジタル放送のデータ放送運用規定により定められており、例えば、ＨＤＴＶフォーマット（１０８０ｉ、７２０ｐ）の場合は９６０画素×５４０ライン、ＳＤＴＶフォーマット（４８０ｉ、４８０ｐ）の場合は７２０画素×４８０ラインである。
【００３８】
例えば表示する映像が１０８０ｉの場合、フレームメモリ１１３上に格納されている９６０画素×５４０ラインのＯＳＤデータに対して、水平フィルタ部２０１と垂直フィルタ部２０２で１９２０画素×１０８０ラインへ拡大処理が行われ、その後、映像合成部１０９で１０８０ｉの映像データと合成され、出力される。本実施例では、１０８０ｉの場合、ＯＳＤデータの垂直方向２倍拡大は、同じ画素を繰り返し出力するリピート処理（２度振り）を行うものとする。ただし、画像の拡大処理はこれに限定されない。
【００３９】
続いて静止画フィルタ部１０８の動作および構成を、図３に従って説明する。静止画フィルタ部１０８は、図３に示すように、ＳＴＩＬＬ垂直フィルタ部３０１とＳＴＩＬＬ垂直フィルタ係数生成部３０２とを備えている。一般的に、デジタル放送受信装置においては、静止画のフィルタ処理は垂直方向の重心位置補正のみであるため、本実施形態では、静止画フィルタ部の具体例として、垂直方向フィルタのみを持つ構成を示した。
【００４０】
静止画像のデータは、ＨＤＴＶフォーマット（１０８０ｉ、７２０ｐ）の場合は１９２０画素×１０８０ライン、ＳＤＴＶフォーマット（４８０ｉ、４８０ｐ）の場合は７２０画素×４８０ラインで、フレームメモリ１１３に格納されている。例えば、表示する映像が１０８０ｉの場合、静止画像のデータは、ＳＴＩＬＬ垂直フィルタ部３０１で４：２：０フォーマットから４：２：２フォーマットへの重心位置補正が行われ、その後、映像合成部１０９で１０８０ｉの映像データと合成され、出力される。
【００４１】
続いて、本実施形態における映像信号処理装置における焼き付き防止のための動作例について説明する。図４に、本実施形態におけるＯＳＤフィルタ部１０６の垂直フィルタ部２０２と、静止画フィルタ部１０８のＳＴＩＬＬ垂直フィルタ部３０１の、フィルタ係数の切り替え手順の一例を示す。また、図５および図６に、このときのフィルタ処理の切り替えを模式的に示す。水平フィルタの係数の切り替えについては、垂直フィルタと同様であるため、説明を省略する。
【００４２】
デジタル放送受信装置では、一般的に、ホストＣＰＵ１１１は、通常放送とデータ放送との切り替えの制御を行うため、特別な処理を追加することなく通常放送とデータ放送の切り替えを検出可能である。すなわち、デジタル放送受信装置１００は、内部の作業用メモリ等（図示せず）に、選択されたチャンネルのデータ放送用データを記憶している。チャンネル変更時、または放送局からのデータカルーセル内容が変更された時に、ホストＣＰＵ１１１は、その変更を検知し、新しいデータカルーセル中の更新部分を作業用メモリへ保持する。具体的には、ホストＣＰＵ１１１は、以下のような手順により、通常放送からデータ放送への切り替えを行っている。
【００４３】
通常放送の視聴中に、ユーザがリモートコントローラ等による操作でデータ放送を選択すると、ホストＣＰＵ１１１がこの操作の命令等を受け取り、作業用メモリに格納されているＢＭＬファイルを読み出して解釈を行う。ホストＣＰＵ１１１は、次に、ＢＭＬファイルに基づき、データ放送画面データを構成し、フレームメモリ１１３へ書き込む。さらに、ホストＣＰＵ１１１は、映像合成部１０９および映像フォーマット変換部１１０に対して、データ放送の表示をオンにする指示を送る。これにより、通常放送からデータ放送への切り替えが行われる。
【００４４】
データ放送の表示を開始すると（図４のステップＳ１の結果がＮＯ）、ホストＣＰＵ１１１が、タイマ１１４へカウント開始信号ＳＴＡＲＴを出力することにより、タイマ１１４がカウントを開始する。タイマ１１４は、カウント開始から所定の時間が経過すると（ステップＳ２の結果がＹＥＳ）、フィルタ切替制御部１１２へ出力するフィルタ切替フラグ（図中の“ＦＬＡＧ”）をオンにする。
【００４５】
フィルタ切替制御部１１２は、タイマ１１４からオン状態のフィルタ切替フラグ（ＦＬＡＧ）を受けた場合、水平フィルタ係数生成部２０３および垂直フィルタ係数生成部２０４に対して、フィルタ係数の切り替え要求ＨＣＨ，ＶＣＨを出力する。同様に、フィルタ切替制御部１１２は、ＳＴＩＬＬ垂直フィルタ係数生成部３０２に対して、フィルタ係数の切り替え要求ＳＶＣＨを出力する（ステップＳ３）。
【００４６】
ＯＳＤフィルタ部１０６の水平フィルタ係数生成部２０３は、フィルタ切替制御部１１２からフィルタ係数の切り替え要求ＨＣＨを受けると、水平フィルタ部２０１で行う拡大処理の方法をリピート処理からフィルタ処理へ（またはフィルタ処理からリピート処理へ）変更するように、フィルタ係数を生成する。同様に、垂直フィルタ係数生成部２０４も、フィルタ切替制御部１１２からフィルタ係数の入れ替え要求ＶＣＨを受けると垂直フィルタ部２０２で行う拡大処理の方法をリピート処理からフィルタ処理へ（またはフィルタ処理からリピート処理へ）変更するように、フィルタ係数を生成する。
【００４７】
以下、図５および図６を参照し、リピート処理からフィルタ処理への切り替えの一具体例について説明する。図５は、画素の垂直方向２倍処理時の例を示した図である。図５（ａ）は、画素の輝度信号に対して垂直方向のリピート処理を示した図であり、図５（ｂ）は、画素の輝度信号に対して垂直方向のフィルタ処理を示した図である。
【００４８】
図５（ａ）および図５（ｂ）において、Ａ１、Ａ２、Ａ３、Ａ４は、リピート処理またはフィルタ処理を行う前の画素を示し、Ｂ１、Ｂ２、Ｂ３、・・・、Ｂ８は、リピート処理またはフィルタ処理を行った後の画素を示す。本例では、垂直方向２タップのフィルタを用いており、図中の矢印につけられている数字は、フィルタ係数の値を示している。
【００４９】
図５（ａ）に示すように、リピート処理の場合、１ライン目の画素Ｂ１は、
Ｂ１＝Ａ１×１＋Ａ２×０＝Ａ１
となり、処理前の画素Ａ１がそのまま出力される。２ライン目の画素Ｂ２も、同様に画素Ａ１がそのまま出力される。以降のラインの画素Ｂ３、Ｂ４・・・についても、同様の処理を繰り返すことにより、ライン数が元画像の２倍になる。
【００５０】
図５（ｂ）に示すフィルタ処理の場合は、２ライン目の画素Ｂ２は、
Ｂ２＝Ａ１×３／４＋Ａ２×１／４
となり、３ライン目の画素Ｂ３は、
Ｂ３＝Ａ１×１／４＋Ａ２×３／４
となる。以降のラインの画素Ｂ４，Ｂ５・・・についても、同様の処理を繰り返すことにより、ライン数が元画像の２倍になる。
【００５１】
図５（ａ）に示すようなリピート処理から図５（ｂ）に示すようなフィルタ処理への切り替え、またはその逆にフィルタ処理からリピート処理への切り替えは、垂直フィルタ部２０２におけるフィルタの構成を変えることなく、フィルタ係数のみを入れ替えることにより実現可能である。フィルタ係数の値は、所望のフィルタ処理の内容に応じてあらかじめ、水平フィルタ係数生成部２０３および垂直フィルタ係数生成部２０４の内部メモリ等に格納されている。なお、上記の具体例では２タップのフィルタの例を示したが、タップ数はいくつであっても構わない。
【００５２】
図６は、画素の水平方向２倍処理時の例を示した図である。図６（ａ）は、画素の輝度信号に対して水平方向のリピート処理を示した図であり、図６（ｂ）は、画素の輝度信号に対して水平方向のフィルタ処理を示した図である。
【００５３】
図６（ａ）に示すリピート処理および図６（ｂ）に示すフィルタ処理の演算内容は、垂直方向の処理と同等であるため説明は省略する。水平方向の処理に関しても、リピート処理からフィルタ処理への切り替え、またはその逆にフィルタ処理からリピート処理への切り替えは、水平フィルタ部２０１におけるフィルタの構成を変えることなく、フィルタ係数のみを入れ替えることにより実現可能である。
【００５４】
また、静止画フィルタ部１０８内のＳＴＩＬＬ垂直フィルタ生成部３０２は、フィルタ切替制御部１１２からフィルタ係数の切り替え要求ＳＶＣＨを受けると、ＳＴＩＬＬ垂直フィルタ部３０１で行う拡大処理において重心位置が変更されるように、フィルタ係数ＳＶＣＯＥＦを生成する（ステップＳ４）。
【００５５】
以下、図７および図８に従って、拡大処理時の重心位置変更の一具体例について説明する。図７は、画素の垂直方向２倍処理の一例を示した図であり、Ａ１、Ａ２、Ａ３、Ａ４は、フィルタ処理を行う前の画素を示し、Ｂ１、Ｂ２、Ｂ３、・・・、Ｂ８はフィルタ処理を行った後の画素を示す。本例では、前例と同様に垂直方向２タップのフィルタを用いており、図中の矢印につけられている数字は、フィルタ係数の値を示す。
【００５６】
図７（ａ）において、２ライン目の画素Ｂ１は、
Ｂ２＝Ａ１×３／４＋Ａ２×１／４
となり、３ライン目の画素Ｂ３は、
Ｂ３＝Ａ１×１／４＋Ａ２×３／４
となる。以降、これらの処理の繰り返しにより、２倍処理を実現する。
【００５７】
図７（ｂ）は、図７（ａ）の出力画素Ｂ１，Ｂ２，Ｂ３，・・・に対して垂直方向の重心位置を所定のオフセット（ＯＦＦＳＥＴ）だけ下へ移動させた場合の処理である。２ライン目の画素Ｂ２は、
Ｂ２＝Ａ１×７／１０＋Ａ２×３／１０
となり、３ライン目の画素Ｂ３は、
Ｂ３＝Ａ１×１／５＋Ａ２×４／５
となる。すなわち、フィルタ係数を適宜設定することにより、重心位置の移動処理も可能である。以降、ライン毎に同様の処理を行うことにより、垂直方向の解像度の２倍処理を実現する。
【００５８】
図７（ａ）および図７（ｂ）に示すように、重心位置の移動処理も、フィルタの構成を変えることなく、フィルタ係数のみを入れ替えることにより実現可能である。フィルタ係数の値は、重心の移動量に応じてあらかじめ複数種類が設定され、ＳＴＩＬＬ垂直フィルタ生成部３０２の内部メモリ等に格納されている。
【００５９】
図８は水平方向における重心位置変更の例を示した図である。フィルタ処理の演算内容は、垂直方向の処理と同等であるため説明は省略する。水平方向に関しても、図８（ａ）および図８（ｂ）に示すように、フィルタの構成を変えることなく、フィルタ係数のみを入れ替えることにより重心位置の移動処理を実現可能である。
【００６０】
続いて、縮小処理の際の重心位置移動について、図９に従って説明する。画像の縮小処理は、画素の間引き処理によって実現されるが、元の画素に対して単純間引き処理をおこなうと折り返し現象が起こるため、一般的には、間引き処理の前にローパスフィルタ処理が行われる。しかし、このローパスフィルタ処理は、本発明には直接関係しないため、ここでは、ローパスフィルタ処理は省略し間引き処理のみを説明する。
【００６１】
図９（ａ）および図９（ｂ）は、縮小処理を実現するための画素の間引き処理を示したものであり、Ａ１、Ａ２、Ａ３、Ａ４・・・は、間引き処理を行う前の画素を示し、Ｂ１、Ｂ２、Ｂ３、・・、Ｂ８は間引き処理を行った後の画素を示す。本例では２タップの水平フィルタで間引き処理を行う。
【００６２】
図９（ａ）において、１つ目の画素Ｂ１は、
Ｂ１＝Ａ１×１＋Ａ２×０＝Ａ１
となり、２つ目の画素Ｂ２は、
Ｂ２＝Ａ３×１＋Ａ４×０＝Ａ３
となる。以降、同様の処理を水平方向の全ての画素について繰り返し行うことにより、間引き処理を行う。
【００６３】
図９（ｂ）は、図９（ａ）に対して画素の重心位置を移動させた縮小処理を実現するための間引き処理の様子を示す。図９（ｂ）において、１つ目の画素Ｂ１は、
Ｂ１＝Ａ１×０＋Ａ２×１＝Ａ２
となり、２つ目の画素Ｂ２は、
Ｂ２＝Ａ３×０＋Ａ４×１＝Ａ４
となる。以降、同様の処理を水平方向の全ての画素について繰り返し行うことにより、間引き処理を行う。
【００６４】
以上のとおり、図９（ａ）および図９（ｂ）に示したような間引き処理における重心位置の移動は、フィルタの構成を変えることなく、フィルタ係数のみを入れ替えることにより実現可能である。垂直方向の縮小処理に関しても、原理は全く同様であるため説明を省略する。
【００６５】
なお、図４のステップＳ１において、通常のテレビジョン放送を表示していると判断された場合は（ステップＳ１の結果がＹＥＳ）、水平フィルタ部２０１および垂直フィルタ部２０２における拡大処理の方法をリピート処理に設定し（ステップＳ５）、静止画の重心位置を所定の初期状態に戻し（ステップＳ６）、ステップＳ１へ戻る。
【００６６】
なお、本実施形態では、データ放送の表示が開始されて一定時間経過した際に、ＯＳＤデータおよび静止画データに対して、等倍処理のまま画像の重心位置が変化するように、ＯＳＤフィルタ部１０６および静止画フィルタ部１０８の垂直フィルタに対して、フィルタ係数の切り替えを行う。拡大・縮小の倍率や表示位置を変えずに画素の重心位置のみを変更するため、元の映像の情報が損なわれにくい。
【００６７】
なお、本実施形態では、焼き付き防止の目的で、ＯＳＤデータ用のフィルタ係数をリピート処理用からフィルタ処理用へ切り替える例を示したが、この逆に、フィルタ処理用からリピート処理用へフィルタ係数を切り替えても良い。またＯＳＤデータに対しても、静止画表示検出フラグＦＬＡＧがＯＮになるまでは任意のフィルタ処理を行い、静止画表示検出フラグＦＬＡＧがＯＮになってからは当該フィルタ処理の重心位置が変化するように、フィルタ係数を変更するようにしても良い。
【００６８】
本実施形態にかかるデジタル放送受信装置によれば、従来の方法のように表示位置や表示サイズ、拡大縮小率を変更することなく、画面の焼き付きを防止することが出来る。特にデジタル放送受信装置のように動画、ＯＳＤ、静止画が合成される機器では、ＯＳＤや静止画に対してのみ焼き付き防止処理を行うため動画への影響がない。またさらにホストＣＰＵが動画表示、静止画表示の状態遷移を制御している場合は、映像に対して静止画を検出する処理が必要ない。
【図面の簡単な説明】
【００６９】
【図１】本発明の一実施形態に係る画像表示装置の構成を示すブロック図である。
【図２】図１の一部分（ＯＳＤフィルタ、ホストＣＰＵ）を詳細に示すブロック図である。
【図３】図２の一部分（静止画フィルタ、ホストＣＰＵ）を詳細に示すブロック図である。
【図４】本発明の一実施形態に係る画像表示装置の処理の流れを示すフローチャートである。
【図５】本発明の一実施形態に係る垂直拡大フィルタの動作例を示す図である。
【図６】本発明の一実施形態に係る水平拡大フィルタの動作例を示す図である。
【図７】本発明の一実施形態に係る垂直拡大フィルタの動作例を示す図である。
【図８】本発明の一実施形態に係る水平拡大フィルタの動作例を示す図である。
【図９】本発明の一実施形態に係る水平縮小フィルタの動作例を示す図である。
【符号の説明】
【００７０】
１００      デジタル放送受信装置
１０１      アンテナ
１０２      チューナ部
１０３      ＡＶデコーダ
１０４      動画フィルタ
１０５      ＯＳＤ部
１０６      ＯＳＤフィルタ
１０７      静止画部
１０８      静止画フィルタ
１０９      映像合成部
１１０      映像フォーマット変換部
１１１      ホストＣＰＵ
１１２      フィルタ切替制御部
１１３      フレームメモリ
１１４      タイマ
２０１      水平フィルタ
２０２      垂直フィルタ
２０３      水平フィルタ係数生成部
２０４      垂直フィルタ係数生成部
３０１      ＳＴＩＬＬ垂直フィルタ
３０２      ＳＴＩＬＬ垂直フィルタ係数生成部
【図１】
2008160553.tif 000003
【図２】
2008160553.tif 000004
【図３】
2008160553.tif 000005
【図４】
2008160553.tif 000006
【図５】
2008160553.tif 000007
【図６】
2008160553.tif 000008
【図７】
2008160553.tif 000009
【図８】
2008160553.tif 000010
【図９】
2008160553.tif 000011